(57)【要約】      （修正有）【課題】蒸気フレームを蒸気機器ハウジング内の流体源に接続するための万能接続器具を提供する。【解決手段】万能接続器具３１６を有するモップは、貯水器およびボイラを有する細長いハウジング３１１を含む。ポール３１２は、上部管部分３１２ａおよびハウジング３１１の一端に接続する下部管部分３１２ｂを有する。ハンドル３１３は上部管３１２ａの端部に取り付けられている。蒸気フレーム３１４は、万能接続器具３１６によりハウジング３１１の他の端に動作可能に接続される。【選択図】図１２
0003170975.tif 000002
【実用新案登録請求の範囲】
【請求項１】
流体モップ用万能接続器具であって、
流体源を含むモップハウジングに接続するための近端および一組の枢動アームを有した遠端を有する上部接続部と、
左右への枢動のために前記上部接続部の前記枢動アームに枢動可能に接続するための一組の枢動板と、モップフレームに結合するための、前記枢動板に対して直角な一組の対向するアームと、を有する下部接続部と、
前記モップフレームにより係合され、かつ前記接続器具を上下方向に枢動させるための軸を提供するように構成された前記アームの両端と、
前記流体源から前記上部および下部接続部を通り、前記モップフレームに流体を分配するために前記フレームの一部に接続された流体管路と、
を含む流体モップ用万能接続器具。
【請求項２】
前記下部接続部は、前記流体源に接続するための中空ニップル部と、左右への枢動のために前記上部接続部に枢動可能に接続するための一組の枢動板と、モップフレームに結合するための一組の対向する細長い中空アームとを有する流体分配器であり、
流体管路は前記流体源から前記上部接続部を通り、前記中空分配器アームを通して前記モップフレームに流体を分配するために前記分配器の前記ニップル部に接続される、
請求項１に記載の流体モップ用万能接続器具。
【請求項３】
貯水器と、蒸気機器の運動に対する応答性を有するポンプにより前記貯水器に接続された蒸気発生器とを含むハウジングを有する蒸気機器であって、蒸気フレームに接続した前記ハウジングは、
前記ハウジング内の前記蒸気発生器の出力口に接続するための近端および一組の枢動アームを有した遠端を有する上部接続部を有する前記フレームに前記ハウジングを接続するための万能接続器具と、
左右への枢動のために前記上部接続部の前記枢動アームに枢動可能に接続するための一組の枢動板と、前記モップフレームに結合するための、前記枢動板に対して直角な一組の対向するアームとを有する下部接続部と、
前記モップフレームにより係合され、かつ前記接続器具を上下方向に枢動させるための軸を提供するように構成された前記アームの両端と、
前記蒸気発生器の前記出力口に接続され、前記上部および下部接続部を通り、かつ前記モップフレームに流体を分配するために前記フレームの一部に接続された流体管路と、を含む、
蒸気機器。
【請求項４】
前記モップフレームは略矩形の形状である、請求項３に記載の蒸気機器。
【請求項５】
前記モップフレームはフットボール形状である、請求項３に記載の蒸気機器。
【請求項６】
前記モップフレームは略三角形の形状である、請求項３に記載の蒸気機器。
【請求項７】
前記フレームは、前記接続器具の前記下部接続部を受けるための切り込みを有する後端縁と、前記切り込みから前記フレームの正面まで延在する蒸気通路であって前記フレームの内部に蒸気を分配するための蒸気開口を有する蒸気通路とを含む、請求項３に記載の蒸気機器。
【請求項８】
前記フレームは、略直角に前記蒸気通路と交わり、かつ前記フレームの両端縁へ延在する、前記フレームの外周の内側にある複数のバッフルであって、各バッフル間に少なくとも１つの上記開口を有する、複数のバッフルを含む、請求項７に記載の蒸気機器。
【請求項９】
前記フレームは略矩形であり、前記バッフルは前記蒸気通路から延在し、前記フレームの前記後端縁に向けて湾曲する、請求項８に記載の蒸気機器。
【請求項１０】
前記フレームは略三角形であり、前記バッフルは前記蒸気通路から延在し前記フレームの前記後端縁に向けて湾曲する、請求項８に記載の蒸気機器。
【請求項１１】
幾何学的形状の第１布地層および対向した対応する第２層を有し、前記蒸気フレーム上に取り付けるために囲い形状をした布地モップタオルを有し、前記第１および第２層は、前記タオルを前記モップフレーム上にはめ込むことを可能とする開口を形成するための１つの留められない端縁を除き、全ての端縁に沿って縫合される、請求項３に記載の蒸気機器。
【請求項１２】
前記第１および第２布地層は、モップフレーム接続器具の枢動を可能にするために前記留められない端縁に開口切り込みを有する、請求項１１に記載の蒸気機器。
【請求項１３】
前記開口は、前記接続器具が枢動するのを可能にするために、前記モップフレーム用の接続器具のサイズの幅と、前記フレームの前記後端縁からの距離の長さとを有する切欠きである、請求項１２に記載の蒸気機器。
【請求項１４】
前記布地タオルを前記フレームから取り外すことを可能にするために、前記布地タオルの前記留められない端縁に対向する前記端縁上にプルタブを備える、請求項１３に記載の蒸気機器。
【請求項１５】
前記下部接続部は、前記流体源に接続するための中空ニップル部と、左右への枢動のために前記上部接続部に枢動可能に接続するための一組の枢動板と、蒸気フレームに結合するための一組の対向する細長い中空アームとを有する流体分配器であり、
流体管路は、前記流体源から前記上部接続部を通り、前記中空分配器アームを通して前記モップフレームに流体を分配するために前記分配器の前記ニップル部に接続される、請求項１３に記載の蒸気機器。
【請求項１６】
幾何学的形状の第１布地層および対向した対応する第２布地層を含む、流体モップ用布地モップポケットであって、前記第１および第２の布地層は、前記ポケットを前記モップフレーム上にはめ込むことを可能とする開口を形成するために１つの未接続の端縁を除き、全ての端縁に沿って縫合されており、
前記第１および第２の布地層は、モップフレーム接続器具の枢動を可能にするために前記留められない端縁に開口切り込みを有する、流体モップ用布地モップポケット。
【請求項１７】
前記第１および第２の布地層は、１つの長辺に２つの短辺が接続され、かつ未接続側の長辺に前記開口切り込みを有する矩形である、請求項１６に記載の布地モップポケット。
【請求項１８】
前記開口は、モップフレームの端縁と前記フレームをモップハウジングに接続する接続器具用の枢動軸との間の距離のスリットである、請求項１７に記載の布地モップポケット。
【請求項１９】
前記開口は、前記モップフレーム用の接続器具のサイズの幅と、モップフレームの端縁から前記接続器具用の枢動軸までの距離の長さとを有する切欠きである、請求項１７に記載の布地モップポケット。
【請求項２０】
前記布地モップポケットを前記流体モップフレームから取り外すことを可能にするため、前記布地モップポケットの前記留められない端縁に対向する端縁上にプルタブを備える、請求項１６に記載の布地モップポケット。
【考案の詳細な説明】
【技術分野】
【０００１】
[考案の背景]
[0001]  本考案は、概して流体モップに関し、より詳細にはモップ蒸気フレームをモップハウジング内の流体源に接続するための万能接続器具に関する。
【背景技術】
【０００２】
[0002]  床を清掃するために湿式および乾式モップが広く使用されている。湿式モップの１種が蒸気モップであり、これは蒸気装置として機能する。
【０００３】
[0003]  家庭にある物に蒸気を当てるために使用する蒸気装置は周知である。この装置の用途は多様であり、この用途には、カーテン（drapes）または他の布地に蒸気を当ててしわを和らげること、および物に蒸気を当てて物を清掃することを助けること等が含まれ得る。
【０００４】
[0004]  典型的な蒸気装置は、水を蓄えるための貯水器を有し、貯水器はオン／オフスイッチを有する電気水ポンプに接続している。電気水ポンプの出口は、水を加熱するための加熱素子を有する蒸気ボイラに接続している。加熱された水が蒸気を発生し、この蒸気は、蒸気の吐出を制御するノズルを通って意図する目標地点に向けて誘導され得る。ノズルの形状およびサイズを変化させることで、発生した蒸気を清掃の対象物に好適に散布することができる。蒸気を当てる対象物に基づき異なるノズルを使用することを可能にするために、ノズルは蒸気発生器から取り外し可能であってよい。ノズルは、蒸気発生器に密接させてもよく、あるいは蒸気発生器から離れて配置されてもよく、後者の場合は蒸気発生器と排出ノズルとの間を相互接続するための配管または他の蒸気輸送構造が必要である。通常、これらの接続は、操舵能力に相応の制限を与える。
【０００５】
[0005]  従って、ハウジングとフレームとの間の角度を変化させるために、モップフレームを流体源に接続して全範囲の操舵を提供し、かつモップフレームから容易に取り外される万能接続器具を提供することが望ましい。
【考案の概要】
【０００６】
[0006]  本考案では、概して、蒸気機器と、機器フレームを機器ハウジング内の流体源に接続し、かつ改良した指向特徴を有する万能接続器具とが提供される。万能接続器具は、一端を機器ハウジングに接続し、他端に一組の平行な枢動板を有する上部接続部を含む。下部接続部は、枢動板に枢動可能に接続した枢動板を有し、フレームにより係合され自由に上下に枢動する２つのサイドアームを含む。可撓性蒸気ホースは、上部および下部接続器具部を通り、そして蒸気フレームの後方から前方へと延びる制御連結管内へと蒸気を供給する。蒸気開口は、連結管と直角に交わり、かつ蒸気フレームの側端縁および後端縁へと延在するバッフル間で連結管に沿って設けられる。
【０００７】
[0007]  下部接続部は、上部接続部の枢動板に枢動可能に接続するための補完的な一組の枢動アームを有する流体分配器であり得る。分配器は、モップフレームに連結するための一組の対向する細長い中空アームと、液体源に接続するための中空ニップル部とを有する。分配器アームの端はモップフレームを係合するように構成されており、接続器具を上下方向に枢動させるための軸を提供する。可撓性流体管路は、上部接続部を通り、中空分配器アームを介してモップフレームへ流体を分配するために流体分配器のニップル部分に接続される。
【０００８】
[0008]  従って、本考案の目的は、改良型蒸気機器を提供することである。
【０００９】
[0009]  本考案の別の目的は、モップフレームを液体源に対して容易に接続および取り外しができる改良型万能接続器具を提供することである。
【００１０】
[0010]  本考案の更なる目的は、向上した清掃のためにモップフレームを回転させることが可能なモップ用接続器具を提供することである。
【００１１】
[0011]  さらに、本考案の更なる目的は、モップフレームの全範囲の指向を提供する万能接続器具を提供することである。
【００１２】
[0012]  また、本考案の他の目的および効果は、明細書から、ある程度自明であり、またある程度明白となるだろう。
【００１３】
[0013]  従って本考案は、以下に記載される製品において例示される特徴、特性、および構成要素の関係を有する製品を含み、本考案の範囲は請求の範囲において示される。
【図面の簡単な説明】
【００１４】
[0014]  本考案をより十分に理解するために、添付の図面と関連して理解される以下の記載を参照する。
【図１】[0015]  図１は、フレーム上に取り付けられた布地タオルを有する蒸気フレームおよび本考案の一実施形態に従って構成および配置された万能接続器具を有する蒸気機器の斜視図を示す。
【図２】[0016]  図２は、本考案によって蒸気フレーム上に取り付けられた、図１の機器内の万能接続器具の斜視図を示す。
【図３】[0017]  図３は、図１の万能接続器具の上部接続部の斜視図を示す。
【図４Ａ−４Ｂ】[0018]  図４Ａおよび図４Ｂは、接続器具がどのように左右それぞれに枢動するかを示す万能接続器具の立面図を示す。
【図５】[0019]  図５は、図１の万能接続器具の流体分配器を有する下部接続部の斜視図を示す。
【図６】[0020]  図６は、図５の液体分配器の部分断面の立面図を示す。
【図７Ａ−７Ｂ】[0021]  図７Ａおよび図７Ｂは、フレーム内に係合された分配器の部分断面図を示す。
【図８】[0022]  図８は、フレームから取り外されるまたはフレームに取り付けられる際の分配器の側面図を示す。
【図９】[0023]  図９は、本考案の一実施形態による矩形フレームおよび機器ハウジングに接続された万能接続器具の斜視図を示す。
【図１０】[0024]  図１０は、本考案の別の実施形態による万能接続器具および蒸気フレームに取り付けられた枢動スリットを有する布地蒸気タオルを有する機器の斜視図を示す。
【図１１】[0025]  図１１は、本考案の一実施形態によるタブを有する図１０の布地蒸気タオルの斜視図を示す。
【図１２】[0026]  図１２は、万能接続器具および本考案の一実施形態によって構成および配置された中央蒸気連結管を有する蒸気フレームを有する蒸気モップの斜視図を示す。
【図１３】[0027]  図１３は、図１２のモップの貯水器、ポンプ、およびボイラを断面で示すモップハウジングの正面図を示す。
【図１４】[0028]  図１４は、貯水器、ボイラ、および蒸気モップフレームの接続を断面で示す図１２のモップハウジングの正面図を示す。
【図１５】[0029]  図１５は、本考案による図１４の蒸気モップフレームおよび万能接続器具の斜視図を示す。
【図１６】[0030]  図１６は、図１４および図１５で示す万能接続器具の斜視図を示す。
【図１７】[0031]  図１７は、図１２および図１５で示す蒸気フレームの背面斜視図を示す。
【考案を実施するための形態】
【００１５】
[0032]  図１は、水タンク２１および蒸気発生器またはボイラ１７を含み、かつ布地で覆われた蒸気ポケット１２が取り付けられたハウジング１１を有する蒸気機器１０の概略斜視図を示す。蒸気ポケット１２は、布地蒸気タオル１３が取り付けられた、実質的に剛性の蒸気フレーム１４を含む。布地蒸気ポケット１２の詳細は以下に記載する。蒸気フレーム１４は、ボイラ１７により発生した蒸気を分配するために、本考案に従って構成および配置される万能接続器具１６によりハウジング１１に接続している。蒸気は、蒸気ホース１８を介して、接続器具１６を通り蒸気フレーム１４に供給される。
【００１６】
[0033]  図２は、蒸気フレーム１４に接続され、ハウジング１１および蒸気フレーム１４を上下および左右に枢動させ、かつ蒸気をフレーム１４に供給することを可能にする万能接続器具１６の斜視図である。万能接続器具１６は、ハウジング１１に接続するハウジングまたはパイプ端２２ａと、図３で示す一組の内側枢動板２３および２３ｂとを有し、図５および図６に示す流体分配器２６を有する下部接続部２５に枢動可能に接続するために、他端２２ｂに枢動ボタン２４を有する上部接続部２２を含む。流体分配器２６は、以下でより詳細に記載するように、中空ニップル部２７と、フレーム１４に係合する一組の枢動アーム２８とを含む。
【００１７】
[0034]  図２で示すようにフレーム１４は略矩形の形状であり、２つの蒸気チャンバ２９を含み、蒸気チャンバは接続器具１６の両側にあり、隔壁３２および接続器具１６により隔てられた複数のバッフル３１を有する。蒸気フレーム１４は、図７Ａおよび図７Ｂに示すように、流体分配器側アーム２８を受け、係合するためのキーホール３３を有する一組の受けスロット３２を有する。この実施形態では、蒸気は分配器２６を介して蒸気チャンバ２９内に分配される。モップ蒸気フレーム１４は、分配器２６を受けるための適切な受けスロット３２を有する限り、楕円形または三角形といった任意の適切な形状であってよい。
【００１８】
[0035]  図５を参照すると、流体分配器２６を有する下部接続部は、上部接続枢動板２２ａおよび２２ｂにそれぞれ接続するために、枢動ボタン２４と位置合わせするための孔２８ａおよび２８ｂを有する２つの上方に延在する分配器アーム２７ａおよび２７ｂを有する。これにより、上部接続部２２と液体分配器２６との間に左右に枢動可能な接続が提供される。
【００１９】
[0036]  図４Ａおよび図４Ｂに示すように、接続器具１６は、枢動ボタン２４を中心に矢印Ａが示すように右に枢動し、または矢印Ｂが示すように左に枢動する。図６で示すように、流体分配器２６は、液体源からのホース１８に接続するための通路２７ａを有する中空ニップル部２７を含む。枢動アーム２８は、万能接続器具１６をモップフレーム１４へ接続し上下に枢動させるために、モップ蒸気フレーム１４の受けスロット３２内に嵌合され、枢動アーム２８は通路２８ａ有する中空である。分配器アーム２８は、モップフレーム１４に結合するために、各端部に対向する２つの平面２８ｂおよび２８ｃを有し得る。
【００２０】
[0037]  図７Ａおよび７Ｂは、分配器アーム２８を受け取るために、両側にスロットおよびキーホール３３を有する接続器具開口を有するモップ蒸気フレーム１４を示す。これにより、分配器アーム２８と万能接続器具１６とを容易に挿入および係合することが可能になる。キーホール開口３３内に係合されると、分配器枢動アーム１８は自由に上下に枢動できる。流体が中空ニップル部２７に入り、開口２８ａを通ってモップ蒸気フレーム１４の蒸気チャンバ２９へと供給される。
【００２１】
[0038]  図８は、分配器２６を有する万能接続器具１６が、モップ蒸気フレーム１４のキーホールスロット３２から引き抜かれる様態を示す。ここで、枢動アーム２８の平面２８ｂおよび２８ｃがスロット３２と位置合わせされると、使用者は、モップフレーム１４に対して、万能接続器具１６を容易に再接続または取り外すことができる。
【００２２】
[0039]  図９は、万能接続器具１１６により接続部分１１５で蒸気フレーム１１４に接続したハウジング１１を有する別の蒸気機器１１０を示す。ハウジング１１１は、水タンク１１９およびボイラまたは蒸気発生器１１７を含む。水タンク１１９は、ポンプを介して蒸気発生器１１７の入口１２３に接続した水出口１２１を有する。水タンク１１９の他端には、水タンク１１０へと水を追加するための水入口１２２がある。蒸気発生器１１７内の水が加熱され、蒸気へと変わると、蒸気は蒸気ホース１２６を介して蒸気出口１２４を通って蒸気発生器１１７から出る。蒸気ホース１２６は、万能接続器具１１６の上部接続部１２０に接続している。蒸気フレーム１１４は、後ろから前へ延びるバッフルを有する矩形として示されるが、一方の壁沿いに受け部１１５がある限り、三角形や楕円形といった任意の適切な形状であってよい。バッフルもまた異なる形状であってもよい。
【００２３】
[0040]  図１を参照すると、布地蒸気タオル１３はフレーム１４上を滑るように構成されている。タオル１３は、フレーム１４の上面上の布地の第１層１３ａおよび下面上の対向する布地の第２層１３ｂから形成され、各層が２つの対向する長端縁１３ｃおよび１３ｄ、ならびに２つの対向する短端縁１３ｅおよび１３ｆを有する略矩形である。長端縁１３ｃおよび２つの対向する短端縁１３ｅおよび１３ｆは、蒸気ポケット１２を形成するための囲いを形成するように縫合されている。従って、布地蒸気タオル１３は長端縁１３ｄ側が開いている。長端縁１３ｄの開口に沿った布地は、フック／ループファスナー、ボタンまたはスナップにより任意選択的に閉じられてもよい。ここで、蒸気タオル１３は、万能接続器具１６の幅程度のスリット１５ａを形成するために、布地タオル１３の第１層１３aおよび対向する第２層１３ｂをライン１５に沿って切り取られる。スロット１５ａは、後端縁１３ｄから液体分配器１６のアーム２８の正面までの長さ１５ｂを有する。これにより、布地タオル１３の布地を曲げずにハウジング１１の垂直回転および枢動が可能になり、かつ、フレーム１４上の蒸気タオル１３を取り除き再度取り付ける必要なく、清掃のために蒸気１３の両側を使用することが可能になる。
【００２４】
[0041]  図１０は、本考案の別の実施形態に係る、万能接続器具２１６により蒸気機器ハウジング２１１に接続された別の蒸気ポケット２１２を示す。ここで、布地蒸気タオル２１３は、フレーム２１４上を滑るように構成され、布地の第１層２１３ａおよび対向する布地の第２層２１３ａから形成される。２１３ａおよび２１３ｂの各層は、２つの対向する長端縁２１３ｃおよび２１３ｄ、ならびに２つの対向する短端縁２１３ｅおよび２１３ｆを有する略矩形である。長端縁２１３ｃおよび２つの対向する短端縁２１３ｅ、２１３ｆは、蒸気タオル２１３から囲い２１３を形成するように縫合されている。従って、布地蒸気ポケット２１３は長端縁２１３ｄ側が開いている。開いた端縁２１３ｄに沿った布地は、上述したように、取り付け後にフック／ループファスナー、ボタンまたはスナップにより任意選択的に閉じられてもよい。
【００２５】
[0042]  万能接続器具２１６の幅を収容するために、蒸気ポケットタオル２１３は第１層２１３ａおよび対向する第２層２１３ｂ上に枢動スリット２１５を有する。スリット２１５は、後壁２１３ｂから一組の液体分配器のアームまでの長さ２１５ａを有し、これにより蒸気ポケット布地２１３により制限されることなく、垂直枢動が可能になる。スリット２１５は、使用時に床に面する蒸気ポケット側が閉じたままである。これにより、使用者は、清掃用に蒸気ポケット２１２の両側を十分に利用することができる。
【００２６】
[0043]  図１１は、長端２１３ｄ上のスリット２１５と対向する長端２１３ｃに縫合されたプルタブ２１９を有する蒸気タオル２１３を示す。プルタブ２１９は、ステッチ２１９ａにより蒸気タオル２１３の布地上に縫い付けられ得る。プルタブ２１９により、使用者がそれを引っ張るだけでフレーム２１４から蒸気ポケットタオル２１３を取り外すことが可能になる。タブ２１９は、図１の蒸気ポケットタオル１３にも追加することができる。
【００２７】
[0044]  図１２〜１７は、本考案により構成および配置された蒸気モップ３１０を示す。モップ３１０は、貯水器３２１およびボイラ３２３を有する細長いハウジング３１１を含む。ポール３１２は、上部管部分３１２ａおよびハウジング３１１の一端に接続する下部管部分３１２ｂを有する。ハンドル３１３は上部管３１２ａの端部に取り付けられている。蒸気フレーム３１４は、本考案により構成および配置された万能接続器具３１６によりハウジング３１１の他の端に動作可能に接続される。本実施形態では、接続器具３１６およびフレーム３１４は、ハウジング３１１の底部の取り外しボタン３１７を押すことにより、ハウジング１１から取り外すことができる。水は、水入口または開口３１８ａから貯水器３２１内へと導入される。ハウジング３１１内の貯水器３２１に存在する水の水位は、観察窓３１９から見ることができる。
【００２８】
[0045]  図１３は、ハウジング３１１内の構成要素の位置を断面で示す正面図である。水容器３２１は、蒸気ホース３１８を通ってフレーム３１４へ供給される蒸気を発生するためにボイラ３２３に隣接して位置決めされ、かつボイラ３２３を囲む。片道ポンプ３２２は、モップ３１０の押引動作に応じて、貯水器３２１からボイラ３２３へ水を圧送する。ハンドル３１３のこの動作は、下記に詳細に記載するように、片道弁３３７の動作を引き起こす。ここで、水容器３２１はハウジング３１１の背部に巻きつけられる。
【００２９】
[0046]  図１４は、水容器３２１を片道ポンプ３２２およびボイラ３２３へ接続するホースを示す詳細な正面図を示す。水ポンプ３２２は、ポンプキャビティ３３３ａを有するポンプ本体３３３を含む。ポンプピストン３３４は、プッシュロッド３３６に接続され、そして、プッシュロッド３３６はポール３１２またはハンドル３１３へ接続される。使用者がモップハンドル３１３を引くと、ピストン３３４はキャビティ３３３ａ内に負圧を生成する。これにより、水は、貯水器３２１から、片道入口弁３３７を通ってポンプ水入口３２７へと送り込まれる水供給ホース３２１ａへ吸い込まれ、キャバティ３３３ａを満たす。使用中ハンドル３１３が押されると、ピストン３３４が下方に移動し、キャバティ３３３ａ内の水は片道出口弁３３８を通ってポンプ出口ホース３２８内へ放出される。次にこの水は、ボイラ３２３のボイラ入口３２３ａ内へ導入される。ボイラ３２３内の水は、ボイラキャバティ３４１内で加熱素子３３９により加熱される。加熱素子３３９は電気コネクタ３３９ａおよび３３９ｂに接続される。ボイラキャバティ３４１内で発生した蒸気は、蒸気弁３４２を通って蒸気チャンバ３４３内へ送られる。次に蒸気は、万能接続３１６への接続器具に対して、蒸気出口３４４を通って蒸気ホース３４６に放出される。
【００３０】
[0047]  片道入口弁３３７および片道出口弁３３８は、ゴム等の可撓性弾性材料から形成されるダックビル形弁である。ハンドル３１３が引かれると入口弁３３７を通って水が吸い込まれる一方で、出口弁３３８は閉じたままになるように、これらの弁は円錐形状である。同様に、ハンドル３１１が押されると、入口弁３３７は閉じたままで、水は出口弁３３８を通って押し出され、ボイラ３２３内へと供給される。別の実施形態では、蒸気モップハウジング３１１内で機械的ベローポンプを使用して、水容器３２１からボイラ３２３へと水を圧送するようにしてもよい。あるいは、ポンプはピストンが順方向および逆方向に戻る動きにおいて変位された時に水を排出する。この種のポンプは、参照により本明細書にその全体を援用する同時係属出願第１１／８４２，４７８号に示されている。
【００３１】
[0048]  機械ポンプを記載してきたが、電気ポンプを利用することも本考案の範囲内である。このような電気ポンプは、マイクロスイッチまたはモータスイッチにより作動させることができる。図示した実施形態では、蒸気ポケットタオル１３および２１３は布地またはタオルである。これらは綿、またはポリエステルもしくはポリオレフィン系繊維のような合成繊維等のあらゆる好適な布地で形成されてよい。好ましくは、ポケット１２および２１２の布地はマイクロファイバである。マイクロファイバは合成ポリエチレンマイクロファイバであることが最も好ましい。
【００３２】
[0049]  図１５は、図１２で使用される種類の万能接続器具４１６および蒸気フレーム４１４の詳細な構造を示す斜視図である。フレーム４１４は略矩形の形状であり、複数のバッフル４３１により頂部と底部が開いている。
【００３３】
[0050]  万能接続器具４１６は、図３の上部接続部２２と構成が類似する上部接続部４２２を含み、この上部接続部４２２はフレーム４１４とハウジング４１１とが互いに対して左右上下に枢動することを可能にする。上部接続部４２２は異なる構成を持つ下部接続部４２６に枢動可能に接続している。ここで、下部接続部は、可撓性蒸気ホース４３０が、蒸気をフレーム４１４へ供給するための通路として中央開口４２８ｃを有する２つの枢動アーム４２８ａおよび４２８ｂを含む。フレーム４１４は接続器具受けスロット４１４ａを含み、この接続器具受けスロット４１４は、２つの取り付け板４３２ａおよび４３２ｂの下方の円筒状のキャビティ４３２により枢動可能に固定されたアーム４２８ａおよび４２８ｂを受けてこれらアーム４２８ａおよび４２８ｂの回転を可能とする。
【００３４】
[0051]  この実施形態では、フレーム４１４は、受けスロット４１４ａのあるフレーム４１４の後部から前縁４１４ｂへと延びる中央蒸気通路または連結管４３３を含む。複数の蒸気放出開口４３４は連結管４３３の両側にその頂部および底部に沿って形成される。これら放出開口４３４は、各バッフル４３１間に位置決めされる。バッフル４３１はフレーム４１４の中心において連結管４３３に対して実質的に垂直であり、横方向に延在し、フレーム４１４の側端および後壁に向けて後方に湾曲する。
【００３５】
[0052]  蒸気フレーム４１４は、中心に接続器具受け開口４１５を有する後壁４１４ａ、正面壁４１４ｂ、右側壁４１４ｃ、および左側壁４１４ｄを含む。蒸気ホース４３０は、連結管４３３への入口に取り付けられたホース板４３１により連結管４３３に接続している。短フィン４３５は、使用時にフレーム４１４上に取り付けられた蒸気タオルの上面および下面への蒸気の分配を助けるために、連結管４３３ならびに側壁４１４ｃおよび４１４ｄのおよそ半分の高さで、連結管４３３の側面ならびに端縁４１４ｃおよび４１４ｄから延在している。
【００３６】
[0053]  万能接続器具１６、１１６、２１６および４１６は、モップハンドルおよびモップフレームに対して簡単に接続および取り外しができるため、使いやすさにおいて多くの利点を提供し、同時に使用者に万能な枢動および指向能力を提供する。使用者は、万能な接続により機器およびフレームをより思い通りに制御して清掃が必要なあらゆる領域を清掃、かつ蒸気フレーム１、１１４、２１４、および４１４の両面を清掃に使用することが可能になる。加えて、モップフレームは容易な指向のために回転し、使用者がモップ蒸気フレームの両側を清掃に使用することを可能にする。更に、万能接続器具はあらゆる種類の異なる形状をしたモップフレームに取り付けられ得る。
【００３７】
[0054]  上記記載から明らかな目的のうち、すでに記載した目的が効率的に達成されることがわかるであろう。そして、本考案の精神および範囲を逸脱することなく上記製品に対して所定の変更がなされ得るため、上記記載に含まれ、かつ添付の図面に示された全ての事項は、限定的な意味ではなく、例示的なものとして解釈されるべきでる。
【００３８】
[0055]  更に、以下の請求の範囲は、本明細書において説明した本考案の一般的、かつ具体的特徴の全てを網羅するものであり、また文言上の事項として、それらに該当すると言える本考案の範囲に関する全ての記載をも網羅することが理解されよう。
【００３９】
[0056]  本考案は、本考案の精神および本質的な特質を逸脱することなく、他の特定の形態で具体化されてもよい。従って、本考案の範囲を示すものとしては、前述の明細書よりもむしろ添付の請求の範囲が参照されるべきである。
【図１】
0003170975.tif 000003
【図２】
0003170975.tif 000004
【図３】
0003170975.tif 000005
【図４Ａ】
0003170975.tif 000006
【図４Ｂ】
0003170975.tif 000007
【図５】
0003170975.tif 000008
【図６】
0003170975.tif 000009
【図７Ａ】
0003170975.tif 000010
【図７Ｂ】
0003170975.tif 000011
【図８】
0003170975.tif 000012
【図９】
0003170975.tif 000013
【図１０】
0003170975.tif 000014
【図１１】
0003170975.tif 000015
【図１２】
0003170975.tif 000016
【図１３】
0003170975.tif 000017
【図１４】
0003170975.tif 000018
【図１５】
0003170975.tif 000019
【図１６】
0003170975.tif 000020
【図１７】
0003170975.tif 000021
【手続補正書】
【提出日】平成23年2月3日(2011.2.3)
【手続補正１】
【補正対象書類名】実用新案登録請求の範囲
【補正対象項目名】全文
【補正方法】変更
【補正の内容】
【実用新案登録請求の範囲】
【請求項１】
蒸気出口を有する蒸気発生器を含むハウジングと、
蒸気ポケットを支持するよう構成された蒸気フレームと、
前記蒸気フレームを前記ハウジングに接続するように構成され、かつ、前記蒸気フレームが前記蒸気出口と連通するように構成された接続器具とを含み、
前記ハウジングと前記蒸気フレームとの間の角度を変化させるため、前記接続器具は左右動において枢動し、かつ上下動において枢動するように構成され、
前記蒸気フレームは第１および第２の対向する清掃面を含み、該清掃面は、前記蒸気ポケットが取り付けられると該蒸気ポケットの２つの清掃面が使用可能となるように構成され、前記蒸気フレームは少なくとも１つの蒸気チャンバを含み、
前記蒸気フレームの前記第１の清掃面が清掃に使用される場合と、前記蒸気フレームをひっくり返して前記蒸気フレームの前記第２の清掃面が清掃に使用される場合の双方において、前記接続器具は前記左右動および前記上下動における枢動が可能である、蒸気機器。
【請求項２】
前記接続器具が前記蒸気フレームの後壁から内側に向かって前記蒸気フレームに係合されるように、前記蒸気フレームは接続器具開口を含む、請求項１に記載の蒸気機器。
【請求項３】
前記蒸気フレームは複数のバッフルを含む、請求項２に記載の蒸気機器。
【請求項４】
前記蒸気ポケットを更に含み、該蒸気ポケットは第１および第２の布地層を有し、各布地層は該布地層の端縁から延在するスロットを有し、該スロットは、前記蒸気ポケットが前記蒸気フレームに取り付けられると前記蒸気フレームと前記ハウジングとが互いに対して枢動可能となるように構成される、請求項２に記載の蒸気機器。
【請求項５】
前記接続器具は機器ハンドルから取り外し可能である、請求項２に記載の蒸気機器。
【請求項６】
前記接続器具は万能接続器具を含む、請求項２に記載の蒸気機器。
【請求項７】
前記蒸気フレーム内に配置された蒸気開口を更に含む、請求項２に記載の蒸気機器。
【請求項８】
前記接続器具は、該接続器具が左右動において枢動するように構成される際の軸に対して垂直な軸の周りを上下動において枢動するように構成される、請求項２に記載の蒸気機器。
【請求項９】
前記接続器具は、前記左右動において第１の軸の周りを枢動し、かつ前記上下動において第２の軸の周りを枢動するように構成され、前記第１の軸は前記第２の軸に対して垂直であるが交差しない、請求項８に記載の蒸気機器。
【請求項１０】
前記接続器具を通る蒸気管路を更に含み、該蒸気管路は前記蒸気フレームが前記蒸気出口と連通するように構成される、請求項２に記載の蒸気機器。
【請求項１１】
前記蒸気フレームは外周部を有し、前記接続器具は前記蒸気フレームの外周部の内側で前記蒸気フレームに接続される、請求項２に記載の蒸気機器。
【請求項１２】
前記接続器具は、前記蒸気フレームの右側壁と左側壁の間に位置するように前記蒸気フレームに接続される、請求項１１に記載の蒸気機器。
【請求項１３】
前記蒸気フレームは外周部を有し、前記接続器具は前記蒸気フレームの外周部の内側で前記蒸気フレームに接続される、請求項１に記載の蒸気機器。
【請求項１４】
蒸気ポケットを支持するよう構成された蒸気フレームと、
前記蒸気フレームをハウジングに接続するように構成された接続器具であって、前記蒸気フレームが前記ハウジングの蒸気出口と連通するように接続する接続器具とを含み、
前記接続器具は左右動において枢動し、かつ上下動において枢動するように構成され、
前記蒸気フレームは第１および第２の対向する清掃面を含み、該清掃面は、前記蒸気ポケットが取り付けられると該蒸気ポケットの２つの清掃面が使用可能となるように構成され、前記蒸気フレームは少なくとも１つの蒸気チャンバを含み、
前記蒸気フレームの前記第１の清掃面が清掃に使用される場合と、前記蒸気フレームをひっくり返して前記蒸気フレームの前記第２の清掃面が清掃に使用される場合の双方において、前記接続器具は前記左右動および前記上下動における枢動が可能である、装置。
【請求項１５】
前記接続器具が前記蒸気フレームの後壁から内側に向かって前記蒸気フレームに係合されるように、前記蒸気フレームは接続器具開口を含む、請求項１４に記載の装置。
【請求項１６】
前記蒸気フレームは複数のバッフルを含む、請求項１５に記載の装置。
【請求項１７】
前記蒸気ポケットを更に含み、該蒸気ポケットは第１および第２の布地層を有し、各布地層は該布地層の端縁から延在するスロットを有し、該スロットは、前記蒸気ポケットが前記蒸気フレームに取り付けられると前記蒸気フレームと前記接続器具とが互いに対して枢動可能となるように構成される、請求項１５に記載の装置。
【請求項１８】
前記接続器具は万能接続器具を含む、請求項１５に記載の装置。
【請求項１９】
前記蒸気フレーム内に配置された蒸気開口を更に含む、請求項１５に記載の装置。
【請求項２０】
前記接続器具は、該接続器具が左右動において枢動するように構成される際の軸に対して垂直な軸の周りを上下動において枢動するように構成される、請求項１５に記載の装置。
【請求項２１】
前記接続器具は、前記左右動において第１の軸の周りを枢動し、かつ前記上下動において第２の軸の周りを枢動するように構成され、前記第１の軸は前記第２の軸に対して垂直であるが交差しない、請求項２０に記載の装置。
【請求項２２】
前記蒸気フレームは外周部を有し、前記接続器具は前記蒸気フレームの外周部の内側で前記蒸気フレームに接続される、請求項１５に記載の装置。
【請求項２３】
前記接続器具は、前記蒸気フレームの右側壁と左側壁の間に位置するように前記蒸気フレームに接続される、請求項２２に記載の装置。
【請求項２４】
ハウジングと、
蒸気源と、
少なくとも１つの蒸気チャンバを有するモップフレームと、
前記モップフレームを前記ハウジングに接続するよう構成された万能接続器具とを含み、
前記万能接続器具は、
一組の枢動ボタンを有する第１端を含む第１接続器具部と、
左右への枢動のために前記第１接続器具部の前記一組の枢動ボタンに枢動可能に接続するための一組の枢動板を有する第１端と、前記モップフレームに接続された一組の枢動アームであって、前記接続器具が前記モップフレームに対して上下に枢動可能とするための一組の枢動アームを有する第２端とを含む第２接続器具部と、
前記第１接続器具部を通り、前記蒸気源と連通する蒸気管路とを有する、
蒸気モップ。
【請求項２５】
前記モップフレームは略矩形の形状である、請求項２４に記載の蒸気モップ。
【請求項２６】
前記モップフレームは略三角形の形状である、請求項２４に記載の蒸気モップ。
【請求項２７】
前記第２接続器具部は、前記第１接続器具部から前記モップフレームに蒸気を送るように構成される、請求項２４に記載の蒸気モップ。
【請求項２８】
前記モップフレームは第１および第２のスロットを含み、前記第２接続器具部の前記一組の枢動アームのうちの第１枢動アームは前記第１のスロットに係合され、前記第２接続器具部の前記一組の枢動アームのうちの第２枢動アームは前記第２のスロットに係合される、請求項２７に記載の蒸気モップ。
【請求項２９】
蒸気発生器を含むハウジングと、
蒸気ポケットを支持するよう構成された蒸気フレームと、
前記蒸気フレームを前記ハウジングに接続するように構成された接続器具と、
前記接続器具を通る可撓性管路であって、蒸気が発生すると前記蒸気フレームに蒸気を送るように構成された可撓性管路とを含み、
前記蒸気フレームは、前記蒸気ポケットが前記蒸気フレームに取り付けられて蒸気が発生したときに前記蒸気ポケットに蒸気を放出するように構成された第１および第２の対抗する面を含み、
前記接続器具は、前記蒸気フレームと前記ハウジングとが互いに対して左右および上下に枢動可能となるように構成される、蒸気機器。
【請求項３０】
前記蒸気フレームは略三角形の形状である、請求項２９に記載の蒸気機器。
【請求項３１】
前記蒸気フレームの前記第１の面が清掃に使用される場合と、前記蒸気フレームをひっくり返して前記蒸気フレームの前記第２の面が清掃に使用される場合の双方において、前記接続器具によって前記蒸気フレームと前記ハウジングとが互いに対して左右および上下に枢動可能となるように、前記蒸気フレームは該蒸気フレームの後端縁から内側に向かって延在する接続器具開口を含む、請求項２９に記載の蒸気機器。
【請求項３２】
前記接続器具開口は、前記蒸気フレームの前記後端縁から内側に向かって延在する切り込みを含む、請求項３１に記載の蒸気機器。
【請求項３３】
前記切り込みから前記フレームの正面に向かう方向に延在する蒸気通路を更に含み、該蒸気通路は前記蒸気フレームの蒸気チャンバ内に蒸気を分配するように構成された蒸気開口を含む、請求項３２に記載の蒸気機器。
【請求項３４】
前記接続器具開口から前記蒸気フレームの先端縁に向かう方向に延在する蒸気連結管を更に含み、前記蒸気フレームは前記蒸気通路と略直角に交わる複数のバッフルを含む、請求項３３に記載の蒸気機器。
【請求項３５】
前記蒸気ポケットを更に含み、該蒸気ポケットは第１および第２の布地層を有し、各布地層は端縁から延在する開口を有し、該開口は、前記蒸気ポケットが前記蒸気フレームに取り付けられると前記蒸気フレームとハウジングとが互いに対して枢動可能となるように構成される、請求項３１に記載の蒸気機器。
【請求項３６】
前記接続器具は前記ハウジングから選択的に取外し可能な、請求項２９に記載の蒸気機器。
【請求項３７】
前記接続器具は、取り外しボタンを押すことによって、前記ハウジングから選択的に取外し可能な、請求項３６に記載の蒸気機器。
【請求項３８】
前記接続器具は万能接続器具を含む、請求項２９に記載の蒸気機器。
【請求項３９】
前記蒸気フレームは外周部を有し、前記接続器具は前記蒸気フレームの外周部の内側で前記蒸気フレームに接続される、請求項２９に記載の蒸気機器。
【請求項４０】
前記蒸気フレームは、後壁、正面壁、および２つの側壁を有し、前記後壁は前記２つの側壁よりも長い、請求項２９に記載の蒸気機器。
【請求項４１】
複数の外周壁を有する蒸気フレームと、
前記蒸気フレームの上部および底部において開放された複数の蒸気チャンバを画定する複数のバッフルと、
前記蒸気チャンバに蒸気を分配するように構成された蒸気開口を含む蒸気連結管と、
前記複数の外周壁のうちの第１の外周壁であって、該第１の外周壁から前記蒸気フレーム内に延在する接続器具受け切り込みを有する第１の外周壁とを含む、蒸気フレームアセンブリ。
【請求項４２】
上部接続部と下部接続部とを有する万能接続器具を更に含み、前記下部接続部は前記接続器具が前記蒸気フレームに対して上下に枢動可能となるように前記蒸気フレームに接続され、前記上部接続部は取り外し可能に蒸気機器ハウジングに接続することが可能であり、前記上部接続部は前記下部接続部に対して左右に枢動可能である、請求項４１に記載の蒸気フレームアセンブリ。
【請求項４３】
前記接続器具は前記蒸気フレームの外周の内側で前記蒸気フレームに接続される、請求項４２に記載の蒸気フレームアセンブリ。
【請求項４４】
前記下部接続部は、前記第１の外周壁から内側に向かって前記蒸気フレームに接続される、請求項４２に記載の蒸気フレームアセンブリ。
【請求項４５】
前記上部接続部および前記下部接続部を通る可撓性蒸気管路を更に含み、該可撓性蒸気管路は前記蒸気連結管と連通する、請求項４２に記載の蒸気フレームアセンブリ。
【請求項４６】
前記蒸気連結管は、前記切り込みから前記蒸気フレームの対向する外周壁に向かう方向に延在する蒸気管路を含む、請求項４５に記載の蒸気フレームアセンブリ。
【請求項４７】
前記蒸気管路は、前記蒸気チャンバに蒸気を放出するように構成された複数の蒸気開口を含む、請求項４６に記載の蒸気フレームアセンブリ。
【請求項４８】
前記バッフルは前記蒸気管路と略直角に交わり、前記蒸気フレームの前記第１の外周壁に向かって湾曲する、請求項４７に記載の蒸気フレームアセンブリ。
【請求項４９】
前記蒸気フレームによって支持されるよう構成された蒸気ポケットを更に含み、該蒸気ポケットは第１の布地層および対向する第２の布地層を有し、該第１および第２の層はその端縁に沿って互いに接続され、かつ未接続の端縁に沿って選択的に閉じることが可能な、請求項４２に記載の蒸気フレームアセンブリ。
【請求項５０】
前記蒸気フレームは略三角形の形状である、請求項４１に記載の蒸気フレームアセンブリ。
【手続補正書】
【提出日】平成23年8月4日(2011.8.4)
【手続補正１】
【補正対象書類名】実用新案登録請求の範囲
【補正対象項目名】全文
【補正方法】変更
【補正の内容】
【実用新案登録請求の範囲】
【請求項１】
ハウジングと、
蒸気源と、
蒸気出口を有するモップフレームと、
前記モップフレームを前記ハウジングに接続するよう構成され、かつ、前記モップフレームが前記蒸気源と流体連通するように構成された接続器具とを含み、
前記接続器具は、
第一組の枢動板を有する第１端を含む第１接続器具部と、
左右への枢動のために前記第１接続器具部の前記第一組の枢動板に枢動可能に接続するための第二組の枢動板を有する第１端と、前記モップフレームに接続された一組の枢動アームであって、前記接続器具が前記モップフレームに対して上下に枢動可能とするための一組の枢動アームを有する第２端とを含む第２接続器具部と、を有する蒸気モップ。
【請求項２】
前記モップフレームは略矩形の形状である、請求項１に記載の蒸気モップ。
【請求項３】
前記モップフレームは略三角形の形状である、請求項１に記載の蒸気モップ。
【請求項４】
前記モップフレームは第１および第２のスロットを含み、前記第２接続器具部の前記一組の枢動アームのうちの第１枢動アームは前記第１のスロットに係合され、前記第２接続器具部の前記一組の枢動アームのうちの第２枢動アームは前記第２のスロットに係合される、請求項１に記載の蒸気モップ。
【請求項５】
前記蒸気源は、蒸気出口チューブを有し、
前記接続器具は、蒸気を前記モップフレームに送るために当該接続器具内の蒸気管路と連通する中空ニップルを含み、
前記蒸気源の前記蒸気出口チューブは、前記接続器具が前記ハウジングに接続されたときに、前記第１接続器具に入り、かつ、前記中空ニップルと連通する、請求項１に記載の蒸気モップ。
【請求項６】
前記モップフレームは、少なくとも１つの蒸気チャンバを有する、請求項１に記載の蒸気モップ。
【請求項７】
前記接続器具内の前記蒸気管路は、可撓性蒸気ホースを備える、請求項５に記載の蒸気モップ。
【請求項８】
取り外しボタンを更に備え、
前記接続器具は、前記取り外しボタンを押すことによって、前記ハウジングから選択的に取り外し可能な、請求項１に記載の蒸気モップ。
【請求項９】
前記接続器具は、第１の軸の周りを上下動において枢動するように構成され、
前記第１の軸は、当該接続器具が左右動において枢動するように構成される際の第２の軸に対して垂直であるが交差しない、請求項１に記載の蒸気モップ。
【請求項１０】
前記モップフレームは、蒸気ポケットを支持するように構成された蒸気フレームを備え、
前記蒸気フレームは、前記蒸気ポケットが前記蒸気フレームに取り付けられて蒸気が発生したときに前記蒸気ポケットに蒸気を放出するように構成された第１および第２の対向する面を含む、請求項１に記載の蒸気モップ。
【請求項１１】
前記蒸気フレームは略矩形の形状である、請求項１０に記載の蒸気モップ。
【請求項１２】
前記蒸気フレームの前記第１の面が清掃に使用される場合と、前記蒸気フレームをひっくり返して前記蒸気フレームの前記第２の面が清掃に使用される場合の双方において、前記接続器具によって前記蒸気フレームと前記ハウジングとが互いに対して左右および上下に枢動可能となるように、前記蒸気フレームは該蒸気フレームの後端縁から内側に向かって延在する接続器具開口を含む、請求項１０に記載の蒸気モップ。
【請求項１３】
前記接続器具開口は、前記蒸気フレームの前記後端縁から内側に向かって延在する切り込みを含む、請求項１２に記載の蒸気モップ。
【請求項１４】
前記切り込みから前記フレームの正面に向かう方向に延在する蒸気通路を更に含み、該蒸気通路は前記蒸気フレームの蒸気チャンバ内に蒸気を分配するように構成された蒸気開口を含む、請求項１２に記載の蒸気モップ。
【請求項１５】
前記接続器具開口から前記蒸気フレームの先端縁に向かう方向に延在する蒸気連結管を更に含み、前記蒸気フレームは前記蒸気通路と略直角に交わる複数のバッフルを含む、請求項１２に記載の蒸気モップ。
【請求項１６】
前記蒸気ポケットを更に含み、該蒸気ポケットは第１および第２の布地層を有し、各布地層は端縁から延在する開口を有し、該開口は、前記蒸気ポケットが前記蒸気フレームに取り付けられると前記蒸気フレームとハウジングとが互いに対して枢動可能となるように構成される、請求項１２に記載の蒸気モップ。
【請求項１７】
前記接続器具は、前記ハウジングから選択的に取外し可能な、請求項１０に記載の蒸気モップ。
【請求項１８】
前記接続器具は、取り外しボタンを押すことによって、前記ハウジングから選択的に取外し可能な、請求項１７に記載の蒸気モップ。
【請求項１９】
前記蒸気フレームは外周部を有し、前記接続器具は前記蒸気フレームの外周部の内側で前記蒸気フレームに接続される、請求項１０に記載の蒸気モップ。
【請求項２０】
前記蒸気フレームは、後壁、正面壁、および２つの側壁を有し、前記後壁は前記２つの側壁よりも長い、請求項１０に記載の蒸気モップ。
【請求項２１】
前記蒸気フレームによって支持されるよう構成された蒸気ポケットを更に含み、該蒸気ポケットは第１の布地層および対向する第２の布地層を有し、該第１および第２の層はその端縁に沿って互いに接続され、かつ未接続の端縁に沿って選択的に閉じることが可能な、請求項１０に記載の蒸気モップ。
【請求項２２】
前記蒸気フレームは略三角形の形状である、請求項２１に記載の蒸気モップ。
【手続補正２】
【補正対象書類名】図面
【補正対象項目名】図１５
【補正方法】変更
【補正の内容】
【図１５】
0003170975.tif 000022